(57)【要約】【課題】簡単な構成でコントラストの良好な超解像顕微鏡画像を短時間で得られる超解像顕微鏡を提供する。【解決手段】光源部100、光源部100からの第１〜３照明光を試料Ｓに集光する照明光学系300、第１〜３照明光により試料Ｓを走査する走査部400、試料Ｓからの光応答信号を検出する検出部500を備え、第１照明光は分子を基底状態から第１電子励起状態よりも高い量子状態に励起する波長であり、第２照明光は分子を基底状態から第１電子励起状態に励起する波長であり、第３照明光は分子を第１電子励起状態よりもエネルギー準位の高い他の量子状態に遷移させる波長であり、光源部100は走査部400による試料の順次の走査位置において、第１照明光を射出した後、第２照明光及び第３照明光を射出し、照明光学系300は第１照明光の照射領域に第２照明光及び第３照明光を一部重ねて照射する。【選択図】図３
2015155970.tif 000002
【特許請求の範囲】
【請求項１】
少なくとも３以上の励起量子状態をもつ分子を含む試料を観察する超解像顕微鏡であって、
波長の異なる第１照明光、第２照明光及び第３照明光を射出する光源部と、
該光源部から射出される前記第１照明光、前記第２照明光及び前記第３照明光を前記試料に集光して照射する照明光学系と、
該照明光学系による前記第１照明光、前記第２照明光及び前記第３照明光の集光位置と前記試料とを相対的に変位させて前記試料を走査する走査部と、
前記試料への前記第１照明光、前記第２照明光及び前記第３照明光の照射により該試料から発生する光応答信号を検出する検出部と、を備え、
前記少なくとも３以上の励起量子状態のうち少なくとも一つの励起量子状態が準安定状態であり、
前記第１照明光は、前記分子を基底状態から第１電子励起状態の最低振動準位よりも高い量子状態に励起する波長であり、
前記第２照明光は、前記分子を基底状態から前記第１電子励起状態に励起する波長であり、
前記第３照明光は、前記分子を前記第１電子励起状態よりもエネルギー準位の高い他の量子状態に遷移させる波長であり、
前記光源部は、前記走査部による前記試料の順次の走査位置において、前記第１照明光を射出した後、前記第２照明光及び前記第３照明光を射出し、
前記照明光学系は、前記第１照明光の照射領域に前記第２照明光及び前記第３照明光を一部重ねて照射する、
超解像顕微鏡。
【請求項２】
請求項１に記載の超解像顕微鏡において、
前記第３照明光の波長は、前記第２照明光の波長よりも長波長であり、
前記第２照明光の波長は、前記第１照明光の波長よりも長波長である、超解像顕微鏡。
【請求項３】
請求項１又は２に記載の超解像顕微鏡において、
前記第１照明光、前記第２照明光及び前記第３照明光は、前記試料に含まれる前記分子である蛍光性分子、フォトクロミック性の分子、希土類を含む蛍光体、量子ドット、ナノサイズの結晶のいずれかに対応する、超解像顕微鏡。
【請求項４】
請求項１乃至３のいずれか一項に記載の超解像顕微鏡において、
前記照明光学系は、前記第１照明光及び前記第３照明光を焦点面において中空状に集光させる、超解像顕微鏡。
【請求項５】
請求項４に記載の超解像顕微鏡において、
前記第１照明光及び前記第３照明光はコヒーレント光であり、
前記照明光学系は、前記第１照明光及び／又は前記第３照明光の位相分布又は偏光分布を変調する変調光学素子を備える、超解像顕微鏡。
【請求項６】
請求項５に記載の超解像顕微鏡において、
前記照明光学系は、前記第２照明光及び前記第３照明光を、前記変調光学素子を経由させて前記照明光学系の焦点面に、前記第２照明光はガウスビームとして集光させ、前記第３照明光は中空状に集光させる、超解像顕微鏡。
【請求項７】
請求項５に記載の超解像顕微鏡において、
前記照明光学系は、前記第１照明光及び前記第２照明光を、前記変調光学素子を経由させて前記照明光学系の焦点面に、前記第２照明光はガウスビームとして集光させ、前記第１照明光は中空状に集光させる、超解像顕微鏡。
【請求項８】
請求項５に記載の超解像顕微鏡において、
前記照明光学系は、前記第１照明光、前記第２照明光及び前記第３照明光を、前記変調光学素子を経由させて前記照明光学系の焦点面に、前記第２照明光はガウスビームとして集光させ、前記第１照明光及び前記第３照明光は中空状に集光させる、超解像顕微鏡。
【請求項９】
請求項５乃至８のいずれか一項に記載の超解像顕微鏡において、
前記変調光学素子は、前記第１照明光及び／又は前記第３照明光のビーム面内における位相差が、光軸の周りを２πの整数倍で周回するように位相分布を変調する、超解像顕微鏡。
【請求項１０】
請求項５乃至８のいずれか一項に記載の超解像顕微鏡において、
前記変調光学素子は、電場ベクトルの方向が反転するように偏光分布を変調する、超解像顕微鏡。
【請求項１１】
請求項１乃至１０のいずれか一項に記載の超解像顕微鏡において、
前記検出部は、前記光源部からの前記第２照明光の射出に同期して、前記試料から発生する光応答信号を検出する、超解像顕微鏡。
【請求項１２】
請求項１乃至１１のいずれか一項に記載の超解像顕微鏡において、
前記光源部は、前記第１照明光、前記第２照明光及び前記第３照明光の強度を独立して制御可能である、超解像顕微鏡。
【請求項１３】
請求項１乃至１１のいずれか一項に記載の超解像顕微鏡において、
前記光源部は、前記第１照明光、前記第２照明光及び前記第３照明光の少なくとも一つの波長が制御可能である、超解像顕微鏡。
【請求項１４】
請求項１３に記載の超解像顕微鏡において、
前記光源部は、前記第１照明光及び前記第２照明光の波長が独立して制御可能である、超解像顕微鏡。
【請求項１５】
請求項１乃至１４のいずれか一項に記載の超解像顕微鏡において、
前記光源部から射出される前記第１照明光、前記第２照明光及び前記第３照明光を同軸で前記照明光学系に伝送する伝送ファイバを備える、超解像顕微鏡。
【請求項１６】
請求項１５に記載の超解像顕微鏡において、
前記伝送ファイバは、偏波保存型のフォトニック結晶シングルモードファイバからなる、超解像顕微鏡。
【請求項１７】
請求項５に記載の超解像顕微鏡において、
前記変調光学素子は、透明基板上に積層された光学膜を備える、超解像顕微鏡。
【請求項１８】
請求項１７に記載の超解像顕微鏡において、
前記光学膜は、複数の異なる物質からなる多層膜からなる、超解像顕微鏡。
【請求項１９】
請求項１７又は１８に記載の超解像顕微鏡において、
前記光学膜は、複数の領域で異なる厚みを有する、超解像顕微鏡。
【請求項２０】
請求項５に記載の超解像顕微鏡において、
前記変調光学素子は、異なる複屈折特性を有する複数の基板を接合してなる、超解像顕微鏡。
【請求項２１】
請求項２０に記載の超解像顕微鏡において、
前記変調光学素子は、前記第２照明光及び前記第３照明光に対して異なる偏光特性を有する厚みである、超解像顕微鏡。
【請求項２２】
請求項２０に記載の超解像顕微鏡において、
前記変調光学素子は、前記第１照明光及び前記第２照明光に対して異なる偏光特性を有する厚みである、超解像顕微鏡。
【請求項２３】
請求項２１又は２２に記載の超解像顕微鏡において、
前記変調光学素子は、前記第２照明光の偏光特性を維持する、超解像顕微鏡。
【請求項２４】
請求項２３に記載の超解像顕微鏡において、
異なる複屈折特性を有する複数の前記基板は、光学異方性をもつ水晶基板からなる、超解像顕微鏡。
【発明の詳細な説明】
【技術分野】
【０００１】
本発明は、超解像顕微鏡に関するものである。
【背景技術】
【０００２】
光学顕微鏡の技術は古く、種々のタイプの顕微鏡が開発されてきた。また、近年では、レーザ技術および電子画像技術をはじめとする周辺技術の進歩により、さらに高機能の顕微鏡システムが開発されている。
【０００３】
このような背景の中、複数波長の光で試料を照明して２重共鳴吸収過程を誘導することにより、得られる画像のコントラストの制御のみならず化学分析も可能にした高機能な顕微鏡が提案されている（例えば、特許文献１参照）。
【０００４】
この顕微鏡は、２重共鳴吸収を用いて特定の分子を選択して、特定の光学遷移に起因する吸収および蛍光を観測するものである。この原理について、図１５〜図１８を参照して説明する。図１５は、試料を構成する分子の価電子軌道の電子構造を示すもので、先ず、図１５に示す基底状態（Ｓ０状態：安定状態）の分子がもつ価電子軌道の電子を波長λ１の光により励起して、図１６に示す第１励起状態（Ｓ１状態）とする。次に、別の波長λ２の光により同様に励起して、図１７に示す第２励起状態（Ｓ２状態）とする。この励起状態により、分子は蛍光あるいは燐光を発光して、図１８に示すように基底状態に戻る。
【０００５】
２重共鳴吸収過程を用いた顕微鏡法では、図１７の吸収過程や図１８の蛍光や燐光の発光を用いて、吸収像や発光像を観察する。この顕微鏡法では、最初にレーザ光等により共鳴波長λ１の光で図１６のように試料を構成する分子をＳ１状態に励起させるが、この際、単位体積内でのＳ１状態の分子数は、照射する光の強度が増加するに従って増加する。
【０００６】
ここで、線吸収係数は、分子一個当りの吸収断面積と単位体積当たりの分子数との積で与えられるので、図１７のような励起過程においては、続いて照射する共鳴波長λ２に対する線吸収係数は、最初に照射した波長λ１の光の強度に依存することになる。すなわち、波長λ２に対する線吸収係数は、波長λ１の光の強度で制御できることになる。このことは、波長λ１および波長λ２の２波長の光で試料を照射し、波長λ２による透過像を撮影すれば、透過像のコントラストは波長λ１の光で完全に制御できることを示している。
【０００７】
また、図１７の励起状態から図１８に示す基底状態への蛍光または燐光による脱励起過程が可能である場合、その発光強度はＳ１状態にある分子数に比例する。したがって、蛍光顕微鏡として利用する場合にも画像コントラストの制御が可能となる。
【０００８】
さらに、２重共鳴吸収過程を用いた顕微鏡法は、上記の画像コントラストの制御のみならず、化学分析も可能である。すなわち、図１５に示す最外殻価電子軌道は、各々の分子に固有のエネルギー準位を持つので、波長λ１は分子によって異なることになり、同時に波長λ２も分子固有のものとなる。
【０００９】
ここで、従来の単一波長で試料を照明する場合でも、ある程度特定の分子の吸収像あるいは蛍光像を観察することが可能である。しかし、一般に、いくつかの分子は、吸収帯の波長領域が重複するため、単一波長で試料を照明する場合には、試料の化学組成の正確な同定までは不可能である。
【００１０】
これに対し、２重共鳴吸収過程を用いた顕微鏡法では、波長λ１および波長λ２の２波長により吸収あるいは発光する分子を限定するので、従来法よりも正確な試料の化学組成の同定が可能となる。また、価電子を励起する場合、分子軸に対して特定の電場ベクトルをもつ光のみが強く吸収されるので、波長λ１および波長λ２の偏光方向を決めて吸収または蛍光像を撮影すれば、同じ分子でも配向方向の同定まで可能となる。
【００１１】
また、最近では、２重共鳴吸収過程を用いて回折限界を超える高い空間分解能をもつ蛍光顕微鏡も提案されている（例えば、特許文献２、３参照）。
【００１２】
図１９は、分子における２重共鳴吸収過程の概念図で、基底状態Ｓ０の分子が、波長λ１の光で第１励起状態Ｓ１に励起され、さらに波長λ２の光で第２励起状態Ｓ２に励起されている様子を示している。なお、図１９は、ある種の分子のＳ２状態からの蛍光が極めて弱いことを示している。
【００１３】
図１９に示すような光学的性質を持つ分子の場合には、極めて興味深い現象が起きる。図２０は、図１９と同じく２重共鳴吸収過程の概念図で、横軸のＸ軸は空間的距離の広がりを表わし、波長λ２の光を照射した空間領域Ａ１と波長λ２の光が照射されない空間領域Ａ０とを示している。
【００１４】
図２０において、空間領域Ａ０では波長λ１の光の励起によりＳ１状態の分子が多数生成され、その際に空間領域Ａ０からは波長λ３で発光する蛍光が見られる。しかし、空間領域Ａ１では、波長λ２の光を照射したため、第１励起状態Ｓ１の分子のほとんどが即座に高位の第２励起状態Ｓ２に励起されて、第１励起状態Ｓ１の分子は存在しなくなる。このような現象は、幾つかの分子により確認されている。これにより、空間領域Ａ１では、波長λ３の蛍光は完全になくなり、しかも第２励起状態Ｓ２からの蛍光はもともとないので、空間領域Ａ１では完全に蛍光自体が抑制され（蛍光抑制効果）、空間領域Ａ０からのみ蛍光が発することになる。
【００１５】
さらに、波長λ２が蛍光発光帯域と重複するときは、誘導放出過程により分子は第１励起状態Ｓ1から基底状態Ｓ０の高位の振動準位に強制的に遷移するので、蛍光抑制効果はさらに増強される。言い換えると、波長λ２の光の照射により第１励起状態Ｓ１から発光する蛍光収率は低くなる。したがって、量子準位に強制的に分子を遷移させれば、蛍光抑制効果が発現する。このような物質として、フォトクロミック性の分子や、希土類を含む蛍光体、量子ドット、ナノダイヤモンドの様なナノスケールの微細結晶（ナノサイズの結晶）（例えば、特許文献４参照）などがある。
【００１６】
このような現象は、顕微鏡の応用分野から考察すると、極めて重要な意味を持っている。すなわち、従来の走査型レーザ顕微鏡等は、レーザ光を集光レンズによりマイクロビームに集光して試料上を走査するが、その際のマイクロビームのサイズは集光レンズの開口数と波長とで決まる回折限界となり、原理的にそれ以上の空間分解能は期待できない。
【００１７】
ところが、図２０の場合には、波長λ１と波長λ２との２種類の光を、空間的に一部重ね合わせて蛍光領域を抑制するので、例えば波長λ１の光の照射領域に着目すると、蛍光領域を集光レンズの開口数と波長とで決まる回折限界よりも狭くでき、実質的に空間分解能を向上させることが可能となる。したがって、この原理を利用することで、回折限界を超える２重共鳴吸収過程を利用した超解像顕微鏡、例えば超解像蛍光顕微鏡を実現することが可能となる。
【００１８】
例えば、ローダミン６Ｇ色素を用いた場合、波長５３２ｎｍの光（ポンプ光）を照射すると、ローダミン６Ｇ分子は、基底状態Ｓ０から第１励起状態Ｓ１へ励起されて波長５６０ｎｍにピークを有する蛍光を発光する。この際、波長５９９ｎｍの光（イレース光）を照射すると、２重共鳴吸収過程が起こって、ローダミン６Ｇ分子は蛍光発光がしにくい第２励起状態Ｓ２に遷移する。すなわち、これらのポンプ光とイレース光とをローダミン６Ｇに同時に照射すると蛍光が抑制されることになる。
【００１９】
図２１は、従来提案されている超解像顕微鏡の要部構成図である。この超解像顕微鏡は、通常のレーザ走査型蛍光顕微鏡を前提としたもので、主に３つの独立したユニット、すなわち、光源ユニット８１０、スキャンユニット８３０および顕微鏡ユニット８５０からなっている。
【００２０】
光源ユニット８１０は、ポンプ光用光源８１１およびイレース光用光源８１２を有する。ポンプ光用光源８１１から射出されるポンプ光は、ダイクロイックプリズム８１３に入射され、該ダイクロイックプリズム８１３で反射されて射出される。イレース光用光源８１２から射出されるイレース光は、位相板８１５により位相が空間変調されてダイクロイックプリズム８１３に入射され、該ダイクロイックプリズム８１３を透過して、ポンプ光と同軸上に合成されて射出される。
【００２１】
ここで、ローダミン６Ｇ色素で染色された試料を観察する場合、ポンプ光用光源８１１は、Ｎｄ：ＹＡＧレーザを用い、その２倍高調波である波長５３２ｎｍの光をポンプ光として射出させることができる。また、イレース光用光源８１２は、Ｎｄ：ＹＡＧレーザとラマンシフタとを用い、Ｎｄ：ＹＡＧレーザの２倍高調波をラマンシフタで波長５９９ｎｍに変換した光をイレース光として射出させることができる。
【００２２】
位相板８１５は、イレース光の位相を変調するもので、例えば図２２に示すように、瞳面を光軸中心に動径方向に分割された８領域を有する。各領域は、イレース光の位相差が光軸周りに２πで周回するように、ガラス基板を異なる厚みにエッチングしたり、ガラス基板上に異なる厚みで光学多層膜を形成したりして構成される。この位相板８１５を通過したイレース光を集光すると、光軸上で電場が相殺された中空状（ドーナッツ状）のイレース光が生成される。
【００２３】
スキャンユニット８３０は、光源ユニット８１０から同軸で射出されるポンプ光およびイレース光を、ハーフプリズム８３１を通過させた後、２枚のガルバノミラー８３２および８３３により２次元方向に揺動走査して、後述の顕微鏡ユニット８５０に射出させる。また、スキャンユニット８３０は、顕微鏡ユニット８５０から入射する蛍光を、往路と逆の経路を辿ってハーフプリズム８３１で分岐し、その分岐された蛍光を投影レンズ８３４、ピンホール８３５、ノッチフィルタ８３６および８３７を経てフォトマルチプライヤ等の光検出器８３８で受光するようになっている。
【００２４】
図２１は、図面を簡略化するため、ガルバノミラー８３２，８３３を同一平面内で揺動可能に示している。なお、ノッチフィルタ８３６および８３７は、蛍光に混入したポンプ光およびイレース光を除去するものである。また、ピンホール８３５は、共焦点光学系を成す重要な光学素子で、試料内の特定の断層面で発光した蛍光のみを通過させるものである。
【００２５】
顕微鏡ユニット８５０は、いわゆる通常の蛍光顕微鏡で、スキャンユニット８３０から入射するポンプ光およびイレース光をハーフプリズム８５１で反射させて、顕微鏡対物レンズ８５２により少なくとも基底状態を含む３つの電子状態を有する分子を含む試料Ｓ上に集光させる。また、試料Ｓで発光した蛍光は、再び顕微鏡対物レンズ８５２でコリメートしてハーフプリズム８５１で反射させることにより、再び、スキャンユニット８３０に戻すとともに、ハーフプリズム８５１を通過する蛍光の一部は接眼レンズ８５４に導いて、蛍光像として目視観察できるようにしている。
【００２６】
この超解像顕微鏡によると、試料Ｓの集光点上においてイレース光の強度がゼロとなる光軸近傍以外の蛍光が抑制されて、結果的にポンプ光の広がりより狭い領域に存在する蛍光ラベラー分子のみを計測できる。したがって、各計測点の蛍光信号をコンピュータ上で２次元的に配列すれば、回折限界の空間分解能を上回る解像度を有する顕微鏡画像を形成することが可能となる。
【００２７】
更に、近年では分光学的な研究が進み、３重項を経由した蛍光抑制効果を用いる超解像顕微鏡法も提案されている（例えば、非特許文献１参照）。図２３（ａ）は、蛍光抑制効果の分光過程を示すダイヤグラムである。このダイヤグラムは、電子配置を無視し、分子全体の電子状態のエネルギーレベルのみを示している。通常、大多数の分子全体では、分子の各電子軌道にスピンがアップのものとダウンのものとが１対ずつ占有し（パウリ原理）、いわゆる１重項状態を形成する。この場合のエネルギー準位は、一般にＳｎで記され、最もエネルギー準位が低い状態すなわち基底状態がＳ０で記され、これより低いものから順にＳ１、Ｓ２、・・・と記される。
【００２８】
通常は、電場による分子の励起及び緩和は、各電子のスピン状態が変化しないので、１重項状態間で起きる。一方で、分子の電子状態としては、例えば独立の電子軌道に１個ずつ単独で占有し、同じ向きにスピンが揃った対をなす３重項状態が存在する。この場合、励起及び緩和は、３重項状態間同士のみで起きる。その状態は、Ｔｎ（Ｔ１、Ｔ２、・・・）で記述される。
【００２９】
その原因は、光学的禁制遷移によるものである。すなわち、電場ではスピン状態と相互作用できないため、スピンの向き、すなわち３重項状態から１重項状態への遷移を誘導できないことによる。しかし、極めて低い確率ではあるが、３重項状態と１重項状態の間で、励起・緩和が起きることがある（系間交差）。これは、原子核のもつ磁気モーメントや、電子の存在する軌道がつくる磁場と相互作用し、電子のスピンの様態が変化する。通常の有機分子では、構成原子の原子数が小さいために、その確率は極めて小さい。
【００３０】
しかし、価電子が光励起されると、一時的に、より外側の分子軌道に励起するために、軌道の作る磁場と相互作用して、低い確率ながらも３重項状態に遷移することができる。例えば、図２３（ｂ）に示すように、通常の光励起により、基底状態Ｓ０からＳ１状態に遷移すると、圧倒的な確率で蛍光緩和又は熱緩和して、基底状態Ｓ０に戻る。しかし、図２３（ａ）に示すように、低い確率ながらもＴ１状態に緩和する。一旦、Ｔ１状態になった分子は、１重項の基底状態に緩和できず、準安定状態でとどまる。通常は、ミリ秒オーダの時間をかけ燐光を発して、基底状態に復帰する。
【００３１】
したがって、長時間（例えば、マイクロ秒）光励起を続ければ、次第にＴ１状態の分子数が増加する。すなわち、光照射された領域では基底状態の分子数が減少する。さらに、再び同じ領域に光照射されると、Ｓ１への励起過程自体が存在しないので、蛍光強度が減少する。これは、一種の蛍光抑制効果であり、この分光過程を基礎とした超解像顕微鏡法が可能となる。
【００３２】
つまり、光励起する照明光をポンプ光と呼ぶと、まず、ポンプ光を中空状に整形し（以下、プレイレース光と呼ぶ）、ミリ秒オーダの時間、試料面に集光して基底状態Ｓ０の分子をＴ１状態に転換する。引き続き、同じ領域にポンプ光（通常のガウスビーム）を集光すると、Ｔ１状態に転換された辺縁部（ドーナッツ部）は蛍光が抑制されるため、結果的に蛍光スポットはガウスビームの集光領域よりも微細になる。以下、この超解像顕微鏡法を、本明細書では、プレパルス超解像顕微鏡法と呼ぶ。
【００３３】
また、本発明者による実験検討によると、プレパルス超解像顕微鏡法については、以下のことが判明した。
（１）プレイレース光により基底状態Ｓ０の分子をＴ１状態転換し、ポンプ光で蛍光計測後、Ｔ１状態から基底状態Ｓ０に復帰させるためには、ミリ秒オーダの時間を待たなければならない。そのため、例えば走査型顕微鏡方式を採用すると、試料の蛍光画像を取得するのに莫大な時間を要することになる。
（２）プレイレース光により基底状態Ｓ０の分子をＴ１状態に転換しても、その後のポンプ光の照射により、図２４に示すように、分子がＴ１状態よりも高いＴｎ状態に励起されて再びＳｎ状態に転換され（逆系間交差）、基底状態Ｓ０に戻ってしまう。すなわち、蛍光抑制が完全でない。
（３）プレイレース光とポンプ光とが同じ波長であると、例えば特許文献３に開示されているような２波長対応の超解像位相板の利用ができなくなる。そのため、ビーム変調を必要とするプレイレース光の照明光学系とビーム変調が不要のポンプ光の照明光学系とを独立に組んで、再び同軸にアライメントする必要がある。そのため、照明光学系の構成が複雑になるとともに、高度の調整技術も不可欠となる。
（４）蛍光分子がＴ１状態に長時間あると、試料中に存在する３重項状態の酸素分子と酸化反応を起こして蛍光分子が褪色してしまう。すなわち、色素劣化が早くなる。
【００３４】
特に、上記（２）の場合は、顕微鏡画像の画質の深刻な劣化を引き起こすことになる。ポンプ光とイレース光とを同時照射する超解像顕微鏡法（以下、本明細書では、ノーマル超解像顕微鏡法と称する）においては、例えば、中空状のラゲール・ガウシアンビームをイレース光として用いると、点像分布関数はローレンチアン型となる。
【先行技術文献】
【特許文献】
【００３５】
【特許文献１】特開平８−１８４５５２号公報
【特許文献２】特開２００１−１００１０２号公報
【特許文献３】特開２０１０−１５０２６号公報
【特許文献４】特開２０１２−２０６８６３号公報
【非特許文献】
【００３６】
【非特許文献１】S.Hell:Appl.PhysB,60(1995)495
【発明の概要】
【発明が解決しようとする課題】
【００３７】
プレパルス超解像顕微鏡法においても、中空状のプレイレース光を照明すると、ローレンチアン型状の点像分布関数が得られる。しかし、プレパルス超解像顕微鏡法の場合は、必ず、一定割合で基底状態の分子が存在するため、図２５に示すように、ポンプ光を照明すると、基底状態の分子が発光して、バックグラウンド成分として現れる。その結果、全体の点像分布関数は、ＤＣ（直流）成分にローレンチアン型の強度分布が加算されたものとなる。なお、図２５において、横軸は焦点面上の位置を示し、縦軸は蛍光強度を示している。
【００３８】
そのため、図２６（ａ）に示すように、染色部位が離れて存在する場合は、ＤＣ成分が存在してもローレンチアン型の強度分布を分離して観察できるので、大きなコントラスト成分が得られ、顕微鏡の最も重要な機能である２点分解能を確保できる。しかし、図２６（ｂ）に示すように、染色部位の間隔がローレンチアン型の強度分布の半値幅まで接近すると、ＤＣ成分のためにコントラスト成分が低下して２つの染色部位を空間分離できなくなり、２点分解能の著しい低下を引き起こすことになる。そのため、分子構造が複雑で染色部位が密集するような試料を観察する場合は、コントラストが著しく低下することになる。
【００３９】
これを解決する方法としては、数値処理すなわち画像処理が想定される。具体的には、バックグラウンド成分を一律に減算してデコンボリューションを行うことで、２点分解能を強調する方法である。しかし、例えば、蛍光信号が全体的に微弱な場合は、バックグラウンド成分の強度も場所ごとに変動する。しかも、バックグランドの強度が、検出すべき分子からの蛍光信号を上回る場合もある。さらに、光電子増倍管を用いて蛍光信号を検出する場合、光電子増倍管の線形性が必ずしも保障されていない。そのため、このような画像処理は、本来の試料の構造を反映しないものとなる。
【００４０】
以上のことから、理想的には、図２７（ａ）に示すようなバックグラウンド成分が存在しない点像分布関数が得られる超解像顕微鏡計測を行うことが求められている。具体的には、バックグラウンド成分を除去する画像処理を施さなくとも、図２７（ｂ）に示すように極めて接近した２点を空間分解できることが期待されている。
【００４１】
本発明の目的は、上述した課題を解決し、簡単な構成でコントラストの良好な超解像顕微鏡画像を短時間で得られる超解像顕微鏡を提供することにある。
【課題を解決するための手段】
【００４２】
上記目的を達成する本発明は、少なくとも３以上の励起量子状態をもつ分子を含む試料を観察する超解像顕微鏡であって、
波長の異なる第１照明光、第２照明光及び第３照明光を射出する光源部と、
該光源部から射出される前記第１照明光、前記第２照明光及び前記第３照明光を前記試料に集光して照射する照明光学系と、
該照明光学系による前記第１照明光、前記第２照明光及び前記第３照明光の集光位置と前記試料とを相対的に変位させて前記試料を走査する走査部と、
前記試料への前記第１照明光、前記第２照明光及び前記第３照明光の照射により該試料から発生する光応答信号を検出する検出部と、を備え、
前記少なくとも３以上の励起量子状態のうち少なくとも一つの励起量子状態が準安定状態であり、
前記第１照明光は、前記分子を基底状態から第１電子励起状態の最低振動準位よりも高い量子状態に励起する波長であり、
前記第２照明光は、前記分子を基底状態から前記第１電子励起状態に励起する波長であり、
前記第３照明光は、前記分子を前記第１電子励起状態よりもエネルギー準位の高い他の量子状態に遷移させる波長であり、
前記光源部は、前記走査部による前記試料の順次の走査位置において、前記第１照明光を射出した後、前記第２照明光及び前記第３照明光を射出し、
前記照明光学系は、前記第１照明光の照射領域に前記第２照明光及び前記第３照明光を一部重ねて照射する、ものである。
【００４３】
前記第３照明光の波長は、前記第２照明光の波長よりも長波長であり、
前記第２照明光の波長は、前記第１照明光の波長よりも長波長とするとよい。
【００４４】
前記第１照明光、前記第２照明光及び前記第３照明光は、前記試料に含まれる前記分子である蛍光性分子、フォトクロミック性の分子、希土類を含む蛍光体、量子ドット、ナノサイズの結晶のいずれかに対応するとよい。
【００４５】
前記照明光学系は、前記第１照明光及び前記第３照明光を焦点面において中空状に集光させるとよい。
【００４６】
前記第１照明光及び前記第３照明光はコヒーレント光であり、
前記照明光学系は、前記第１照明光及び／又は前記第３照明光の位相分布又は偏光分布を変調する変調光学素子を備えるとよい。
【００４７】
前記照明光学系は、前記第２照明光及び前記第３照明光を、前記変調光学素子を経由させて前記照明光学系の焦点面に、前記第２照明光はガウスビームとして集光させ、前記第３照明光は中空状に集光させるとよい。
【００４８】
前記照明光学系は、前記第１照明光及び前記第２照明光を、前記変調光学素子を経由させて前記照明光学系の焦点面に、前記第２照明光はガウスビームとして集光させ、前記第１照明光は中空状に集光させるとよい。
【００４９】
前記照明光学系は、前記第１照明光、前記第２照明光及び前記第３照明光を、前記変調光学素子を経由させて前記照明光学系の焦点面に、前記第２照明光はガウスビームとして集光させ、前記第１照明光及び前記第３照明光は中空状に集光させるとよい。
【００５０】
前記変調光学素子は、前記第１照明光及び／又は前記第３照明光のビーム面内における位相差が、光軸の周りを２πの整数倍で周回するように位相分布を変調するとよい。
【００５１】
前記変調光学素子は、電場ベクトルの方向が反転するように偏光分布を変調してもよい。
【００５２】
前記検出部は、前記光源部からの前記第２照明光の射出に同期して、前記試料から発生する光応答信号を検出するとよい。
【００５３】
前記光源部は、前記第１照明光、前記第２照明光及び前記第３照明光の強度を独立して制御可能であるとよい。
【００５４】
前記光源部は、前記第１照明光、前記第２照明光及び前記第３照明光の少なくとも一つの波長が制御可能であるとよい。
【００５５】
前記光源部は、前記第１照明光及び前記第２照明光の波長が独立して制御可能であるとよい。
【００５６】
前記光源部から射出される前記第１照明光、前記第２照明光及び前記第３照明光を同軸で前記照明光学系に伝送する伝送ファイバを備えてもよい。
【００５７】
前記伝送ファイバは、偏波保存型のフォトニック結晶シングルモードファイバからなるとよい。
【００５８】
前記変調光学素子は、透明基板上に積層された光学膜を備えて位相変調してもよい。
【００５９】
前記光学膜は、複数の異なる物質からなる多層膜からなるとよい。
【００６０】
前記光学膜は、複数の領域で異なる厚みを有してもよい。
【００６１】
前記変調光学素子は、異なる複屈折特性を有する複数の基板を接合して偏光変調してもよい。
【００６２】
前記変調光学素子は、前記第２照明光及び前記第３照明光に対して異なる偏光特性を有する厚みであるとよい。
【００６３】
前記変調光学素子は、前記第１照明光及び前記第２照明光に対して異なる偏光特性を有する厚みであるとよい。
【００６４】
前記変調光学素子は、前記第２照明光の偏光特性を維持するとよい。
【００６５】
異なる複屈折特性を有する複数の前記基板は、光学異方性をもつ水晶基板からなるとよい。
【発明の効果】
【００６６】
本発明によれば、簡単な構成でコントラストの良好な超解像顕微鏡画像を短時間で得られる超解像顕微鏡を提供することができる。
【図面の簡単な説明】
【００６７】
【図１】本発明の原理を説明する図である。
【図２】本発明による３波長超解像顕微鏡法で得られる点像分布関数を説明する図である。
【図３】第１実施の形態に係る超解像顕微鏡の概念的構成を示す図である。
【図４】図３の変調光学素子の一例を示す図である。
【図５】図３の超解像顕微鏡の動作を説明するためのタイミングチャートである。
【図６】第２実施の形態に係る超解像顕微鏡の要部の構成を示す図である。
【図７】変調光学素子の変形例を示す図である。
【図８】変調光学素子の他の変形例を示す図である。
【図９】図８の変調光学素子を作製する光学基板を示す図である。
【図１０】図８の変調光学素子の作製過程を説明する図である。
【図１１】図８の変調光学素子に直線偏光が入射した場合の偏光方向と進相軸及び遅相軸との関係を示す図である。
【図１２】図８の変調光学素子を直線偏光が透過した場合の透過光の電場ベクトルの方向を示す図である。
【図１３】第１〜第３照明光の波長と検出する蛍光帯域との関係を示す図である。
【図１４】検出部の変形例を示す図である。
【図１５】試料を構成する分子の価電子軌道の電子構造を示す概念図である。
【図１６】図１５に示す分子の第１励起状態を示す概念図である。
【図１７】図１５に示す分子の第２励起状態を示す概念図である。
【図１８】図１５に示す分子が第２励起状態から基底状態に戻る状態を概念的に示す図である。
【図１９】分子における２重共鳴吸収過程を説明する概念図である。
【図２０】分子における２重共鳴吸収過程を説明する概念図である。
【図２１】従来の超解像顕微鏡の要部構成図である。
【図２２】図２１に示す位相板の構成を示す拡大平面図である。
【図２３】３重項を経由した蛍光抑制効果の分光過程を示す図である。
【図２４】プレパルス超解像顕微鏡法の課題を説明する図である。
【図２５】プレパルス超解像顕微鏡法による点像分布関数を示す図である。
【図２６】プレパルス超解像顕微鏡法による２点分解能を説明する図である。
【図２７】理想的な点像分布関数及び２点分解能を示す図である。
【発明を実施するための形態】
【００６８】
先ず、実施の形態の説明に先立って、本発明に係る超解像顕微鏡の原理について、超解像蛍光顕微鏡を例にとって説明する。
【００６９】
図１（ａ）及び（ｂ）は、本発明の原理を説明するための図である。本発明に係る超解像顕微鏡は、３波長すなわち３色の照明光を用いる。具体的には、ノーマル超解像顕微鏡法において、ポンプ光より波長の短い中空状のビームを事前に染色試料に集光する。以下の説明では、本発明に係る超解像顕微鏡による顕微鏡法を、３波長超解像顕微鏡法とも言う。
【００７０】
まず、図１（ａ）に示すように、ポンプ光よりも波長の短い例えば中空状のプレイレース光Ｌ１により、蛍光物質で染色された試料Ｓを照明する。これにより、照明領域において、蛍光分子はＳ１の最低振動準位よりも高い振動励起状態か、或いはＳ１より高いＳｎ状態に遷移することになる。この励起状態は、分子軌道が広がった状態に対応し、分子軌道と励起電子との相互作用が強くなり、緩和する際に３重項状態に転換し易くなる。したがって、従来のプレパルス超解像顕微鏡法と比較して、短時間で弱いプレイレース光Ｌ１で数多くの分子を３重項状態に転換できる。その後、３重項状態間で緩和が起こり、中空状の照明領域において効率的にＴ１状態の分子が生成される。
【００７１】
プレイレース光Ｌ１の照射後、その照明領域に対してノーマル超解像顕微鏡法を適用する。すなわち、図１（ｂ）に示すように、ポンプ光Ｌ２とイレース光Ｌ３とにより、試料Ｓのプレイレース光Ｌ１による照明領域を照明する。ここで、ポンプ光Ｌ２は、プレイレース光Ｌ１と波長が異なる。また、イレース光Ｌ３は、少なくともポンプ光Ｌ２よりも長波長であり、かつ、プレイレース光Ｌ１と同様に例えばドーナッツ形状をしている。つまり、３色の照明光は、イレース光（第３照明光）の波長がポンプ光（第２照明光）の波長よりも長波長であり、ポンプ光の波長はプレイレース光（第１照明光）の波長よりも長波長である。これにより、ポンプ光Ｌ２の照射により生成されたＳ１状態の分子を、イレース光Ｌ３の照射により他の量子状態に強制遷移させて蛍光抑制効果を誘導する。この場合、基本的には、イレース光Ｌ３の強度を調整することにより、イレース光Ｌ３の照明領域のＳ１状態の分子をほぼ完全に消失させることができる。
【００７２】
すなわち、プレイレース光Ｌ１とポンプ光Ｌ２との照射により、図２５に示したプレパルス超解像顕微鏡法による点像分布関数が形成されるが、さらに中空状のイレース光Ｌ３が重複されることで、中央のローレンチアン型の強度分布が保持されたまま、プレパルス超解像顕微鏡法で問題となっていたＤＣ成分が完全に除去される。
【００７３】
結論として、図２（ａ）〜（ｃ）に示すように、３波長超解像顕微鏡法で得られる点像分布関数Ｃ（図２（ｃ））は、プレパルス超解像顕微鏡法で得られる点像分布関数Ａ（図２（ａ））とノーマル超解像顕微鏡法で得られる点像分布関数Ｂ（図２（ｂ））との積で与えられる。図２（ｃ）において、３波長超解像顕微鏡法による点像分布関数Ｃは、プレイレース光Ｌ１の波長がイレース光Ｌ３の波長よりも短いので、半値幅がノーマル超解像顕微鏡法による点像分布関数Ｂの半値幅よりも狭くなる。また、この点像分布関数Ｃからは、プレパルス超解像顕微鏡法で問題となったバックグラウンド光によるＤＣ成分（バックグラウンド成分）も除去されている。したがって、３波長超解像顕微鏡法による点像分布関数Ｃは、プレパルス超解像顕微鏡法Ａ又はノーマル超解像顕微鏡法で得られる点像分布関数Ｂよりも優れたものとなる。
【００７４】
これにより、３波長超解像顕微鏡法は、結像性能において、プレパルス超解像顕微鏡法とノーマル超解像顕微鏡法との両方の長所を兼ね備えるとともに、それ以外の大きな長所も持つ。すなわち、３重項状態は、一般に寿命が長く緩和速度が極めて遅いので、低いパワーのプレイレース光Ｌ１で基底状態の分子を３重項状態に転換できる。また、イレース光Ｌ３は、プレパルス超解像顕微鏡法で残存するバックグラウンド成分を消去するだけで十分なので、ノーマル超解像顕微鏡法で使用されるイレース光よりもパワーが低くて済むことになる。
【００７５】
さらに、プレパルス超解像顕微鏡法では、一旦、準安定状態の３重項に転換した分子が基底状態に復帰するためには長時間待たなければ、隣接する画素の計測が不可能である。しかし、３波長超解像顕微鏡法では、プレイレース光Ｌ１を照射した同じドーナッツ部（輪帯領域）に再びイレース光Ｌ３を照射する。この作用は、プレパルス超解像顕微鏡法におけるＤＣ成分を除去するだけではなく、Ｔ１状態の分子をよりエネルギー準位の高いＴｎ状態に再び励起できるので、この間、再び３重項状態から１重項状態へ転換する逆の系間交換交差を誘導できる。すなわち、分子を基底状態に復帰させる速度を加速できるので、計測時間も短縮できる。さらに、図２に示したように、３波長超解像顕微鏡法の点像分布関数は、プレパルス超解像顕微鏡法とノーマル超解像顕微鏡法とのローレンチアン関数成分になっているので、プレパルス超解像顕微鏡法又はノーマル超解像顕微鏡法の単独のローレンチアン型の点像分布関数と比較すると半値幅が狭くなっており、分解能も向上している。以上により、簡単な構成でコントラストの良好な顕微鏡画像を短時間で得ることが可能となる。
【００７６】
以下、図面を参照して本発明の実施の形態について説明する。
【００７７】
（第１実施の形態）
図３は、本発明の第１実施の形態に係る超解像顕微鏡の概念的構成を示す図である。図３に示す超解像顕微鏡は、蛍光性分子、フォトクロミック性の分子、希土類を含む蛍光体、量子ドット等の分子で染色された試料Ｓを観察するもので、光源部１００、伝送ファイバ２００、照明光学系３００、走査部４００、検出部５００、制御部６００を備える。光源部１００は、第１照明光用光源１０１、第２照明光用光源１０２及び第３照明光用光源１０３を備える。第１照明光用光源１０１及び第２照明光用光源１０２は、例えばスーパーコンティニュアム光源が使用される。スーパーコンティニュアム光源は、基本的には全ての可視光の波長帯域でレーザ発振が可能である。
【００７８】
第１照明用光源１０１から射出される光は、狭帯域のバンドパスフィルタや分光器からなる波長選択素子１２１に入射されて染色色素に応じた所望の波長の第１照明光（プレイレース光）が出力される。同様に、第２照明用光源１０２から射出される光は、波長選択素子１２２に入射されて染色色素に応じた所望の波長の第２照明光（ポンプ光）が出力される。第３照明光用光源１０３は、少なくとも数１０ｍＷ程度のパワーを有し、染色色素に応じた所望の波長の第３照明光（イレース光）を射出する半導体レーザが使用される。
【００７９】
波長選択素子１２１から得られる第１照明光、波長選択素子１２２から得られる第２照明光、及び第３照明光用光源１０３から得られる第３照明光は、対応する光音響素子（ＡＯＭ）１３１、１３２、１３３及び同軸光学系１４０を経て光源部１００から同軸で射出される。なお、第１〜３照明光用光源１０１〜１０３及びＡＯＭ１３１〜１３３は、制御部６００により制御され、これにより染色色素に応じた所望のパワーを有する第１〜３照明光が、所望のタイミングで光源部１００から射出される。
【００８０】
制御部６００は、例えばホストコンピュータを用いて構成される。
【００８１】
光源部１００から射出される第１〜３照明光は、伝送ファイバ２００を経て照明光学系３００に伝送される。伝送ファイバ２００の入射端側及び射出端側には結合レンズ２１０、２２０が配置される。光源部１００からの第１〜３照明光は、結合レンズ２１０を経て伝送ファイバ２００に入射され、伝送ファイバ２００を伝送されて、射出端から結合レンズ２２０を経て射出される。伝送ファイバ２００は、例えばシングルモードファイバ、好ましくは偏波保存型のフォトニック結晶シングルモードファイバが使用される。フォトニック結晶シングルモードファイバは、波長分散が無く、近赤外光から可視光までの広い帯域のレーザ光を伝播することができる。
【００８２】
照明光学系３００に伝送された第１〜３照明光は、コリメータレンズ３１０、変調光学素子３２０及びバンドパスフィルタ等からなる分離フィルタ３３０を透過してガルバノミラー４１０、４２０に導入される。ガルバノミラー４１０、４２０に導入された第１〜３照明光は、ガルバノミラー４１０、４２０により二次元方向に偏向走査されて、瞳投影レンズ３４０を経て対物レンズ３５０により染色された試料Ｓに集光される。試料Ｓは、試料ステージ７００上に載置される。ここで、ガルバノミラー４１０、４２０は、走査部４００を構成するもので、制御部６００により駆動が制御される。なお、図３では、図面を簡略化するため、ガルバノミラー４１０、４２０を同一平面内で揺動可能に示している。
【００８３】
一方、第１〜３照明光の照射により試料Ｓから発生する蛍光は、入射光路を逆に辿って分離フィルタ３３０に入射され、該分離フィルタ３３０で反射されて照明光学系３００の光路から分離され、検出部５００に入射される。検出部５００は、集光レンズ５１０、結合レンズ５２０、マルチモードファイバ５３０、ＡＯＭ５４０及び光電子増倍管（ＰＭＴ）５５０を備える。ＡＯＭ５４０は、マルチモードファイバ５３０の途中に配置される。照明光学系３００から分離された蛍光は、集光レンズ５１０及び結合レンズ５２０を経てマルチモードファイバ５３０に入射され、ＡＯＭ５４０を経てＰＭＴ５５０で検出される。ＰＭＴ５５０の出力は、制御部６００に供給されて処理され、蛍光画像としてモニタ等に出力されて表示される。
【００８４】
上記構成において、変調光学素子３２０は、例えば光学基板上に光学膜をコートして構成される。この変調光学素子３２０を通過した第１照明光及び第３照明光は、位相分布が変調されて対物レンズ３５０の焦点面（試料面）上に中空状のスポットとして集光され、第２照明光は位相分布が変調されることなく通常のガウスビームスポットとして集光される。
【００８５】
このような変調光学素子３２０は、例えば図４に示すように、光学基板３２１の中央部領域３２２に光学膜３２３をコートした輪帯形状に構成することができる。光学膜３２３は、例えばＳｉＯ２の単層膜で構成することができる。この変調光学素子３２０の場合、中央部領域３２２と周辺部領域３２４とを通過する光の位相差(Δ)は、中央部領域３２２の光学膜３２３（ＳｉＯ２単層膜）の屈折率をｎ、膜厚をｄとすると、
Δ＝（ｎ−１）ｄ            （１）
で与えられる。
【００８６】
標準的なＳｉＯ２膜の屈折率ｎは、可視光領域で１．４５である。したがって、厚さｄを例えば３５１６ｎｍとし、第３照明光用光源１０３から射出される第３照明光の波長λ３を例えば６４７ｎｍとすると、中央部領域３２２を通過する第３照明光に対しては、式（１）より、約２．５λ分位相がずれる。また、第２照明光の波長λ２を波長選択素子１２２により例えば５３９ｎｍに設定すると、約３λ分位相がずれる。同様に、第１照明光の波長λ１を波長選択素子１２１により例えば４６２ｎｍに設定すると、約３．５λ分位相がずれる。つまり、第１照明光及び第３照明光は、変調光学素子３２０を透過することで、中央部領域３２２と周辺部領域３２４とで透過光の位相が反転し、第２照明光は、中央部領域３２２及び周辺部領域３２４で位相が同相となる。
【００８７】
したがって、変調光学素子３２０に第１〜３照明光を同軸で入射させれば、軸ずれすることなく、第２照明光は通常のガウスビームとして集光させることができ、第１照明光及び第３照明光は中空状のスポットとして集光させることができる。ここで、例えばナイルレッドで染色された試料Ｓを観察する場合、上記の波長６４７ｎｍの第３照明光はイレース光として機能し、波長５３９ｎｍの第２照明光はポンプ光として機能する。また、ナイルレッドは波長４６２ｎｍにも吸収帯を有し、Ｓ１状態の振動状態又はより高位のＳｎ状態に励起できるので、波長４６２ｎｍの第１照明光はプレイレース光として機能する。
【００８８】
また、光源部１００のＡＯＭ１３１〜１３３、検出部５００のＡＯＭ５４０及びＰＭＴ５５０は、制御部６００により例えば図５に示すタイミングで制御されて、試料Ｓに３色の照明光が照射される。まず、第１照明光用のＡＯＭ１３１がオンとなって、試料Ｓが第１照明光により照明される。その間、試料Ｓの中空状の照明領域から蛍光が発生するが、検出部５００のＡＯＭ５４０はオフに制御されているので、その蛍光はＰＭＴ５５０で検出されない。その後、第２照明光用のＡＯＭ１３２及び第３照明光用のＡＯＭ１３３が駆動されて、ノーマル超解像顕微鏡法による照明動作が実行される。この間、検出部５００のＡＯＭ５４０がオンとなって、ＰＭＴ５５０により蛍光が検出される。
【００８９】
図５において、ＡＯＭ１３１のオン期間すなわち第１照明光の照明時間をτ１、ＡＯＭ１３２のオン期間すなわち第２照明光の照明時間をτ２、ＡＯＭ１３３のオン期間すなわち第３照明光の照明時間をτ３、ＡＯＭ５４０のオン期間すなわち蛍光の検出時間をτ４とするとき、例えば、τ１＜τ２＜τ４＜τ３、とする。また、ＡＯＭ１３１のオンからＡＯＭ１３２のオンまでの時間をｔ２、ＡＯＭ１３１のオンからＡＯＭ１３３のオンまでの時間をｔ３、ＡＯＭ１３１のオンからＡＯＭ５４０のオンまでの時間をｔ４とするとき、例えば、ｔ３＜ｔ２＜ｔ４、とする。そして、第３照明光の照明時間τ３は、第１照明光の照明時間τ１と重複せず、かつ、少なくとも第２照明光の照明時間τ２は、第３照明光の照明時間τ３に含まれるようにする。
【００９０】
以上の動作は、走査部４００による二次元走査に同期して各走査点で実行される。そして、ＰＭＴ５５０から得られる各走査点での蛍光信号は、制御部６００で処理されて超解像顕微鏡画像が形成される。
【００９１】
（第２実施の形態）
図６は、本発明の第２実施の形態に係る超解像顕微鏡の要部の構成を示す図である。図６に示す超解像顕微鏡は、２系統の第１光源部１００−１及び第２光源部１００−２を備える。第１光源部１００−１は、スーパーコンティニュアム光源からなる第１光源１１１−１及び半導体レーザからなる第２光源１１２−１を備える。第１光源１１１−１から射出される照明光は、波長選択素子１２５−１、ＡＯＭ１３５−１及び同軸光学系１４１−１を経て第１光源部１００−１から射出される。第２光源１１２−１から射出される照明光は、ＡＯＭ１３６−１及び同軸光学系１４１−１を経て、第１光源１１１−１からの照明光と同軸で第１光源部１００−１から射出される。
【００９２】
同様に、第２光源部１００−２は、スーパーコンティニュアム光源からなる第１光源１１１−２及び半導体レーザからなる第２光源１１２−２を備える。第２光源１１１−２から射出される照明光は、波長選択素子１２５−２、ＡＯＭ１３５−２及び同軸光学系１４１−２を経て第２光源部１００−２から射出される。第２光源１１２−２から射出される照明光は、ＡＯＭ１３６−２及び同軸光学系１４１−２を経て、第１光源１１１−２からの照明光と同軸で第２光源部１００−２から射出される。
【００９３】
第１光源部１００−１から射出される照明光は、例えば偏波保存型のフォトニック結晶シングルモードファイバからなる伝送ファイバ２０１を経て照明光学系３０１に伝送される。同様に、第２光源部１００−２から射出される照明光は、例えば偏波保存型のフォトニック結晶シングルモードファイバからなる伝送ファイバ２０２を経て照明光学系３０１に伝送される。
【００９４】
照明光学系３０１は、伝送ファイバ２０１に対応するコリメータレンズ３１０−１及び変調光学素子３２０−１と、伝送ファイバ２０２に対応するコリメータレンズ３１０−２及び変調光学素子３２０−２と、伝送ファイバ２０１及び２０２からの照明光を同軸に合成する合成素子３６０とを備える。伝送ファイバ２０１からの照明光は、コリメータレンズ３１０−１、変調光学素子３２０−１及び合成素子３６０を経て、分離フィルタ３３０に入射される。同様に、伝送ファイバ２０２からの照明光は、コリメータレンズ３１０−２、変調光学素子３２０−２及び合成素子３６０を経て、分離フィルタ３３０に入射される。分離フィルタ３３０に入射された照明光は、第１実施の形態と同様にガルバノミラー及び対物レンズ等を経て試料に照射され、試料からの蛍光は分離フィルタ３３０により往路と分離されてＰＭＴで検出される。
【００９５】
変調光学素子３２０−１は、例えば図４と同様、中央部領域にＳｉＯ２の単層膜からなる光学膜を有する輪帯形状に構成される。この変調光学素子３２０−１は、第１光源部１００−１の第２光源１１２−１からの照明光を、位相分布を変調して透過させ、第１光源１１１−１からの照明光は位相分布を変調することなく透過させる。これにより、照明光学系３０１による試料の焦点面上に、第２光源１１２−１からの照明光を中空状のスポットとして集光させ、第１光源１１１−１からの照明光を通常のガウスビームスポットとして集光させる。
【００９６】
変調光学素子３２０−２は、例えば図２２に示したような、イレース光の位相差を光軸周りに２πで周回するように、ガラス基板を複数の領域で異なる厚みにエッチングしたり、ガラス基板上に異なる厚みで光学多層膜を形成したりして構成される。この変調光学素子３２０−２は、第２光源部１００−２の第２光源１１２−２からの照明光をラゲール・ガウシアンビームに位相分布を変調して透過させ、第１光源１１１−２からの照明光は位相変調することなく透過させる。これにより、照明光学系３０１による試料の焦点面上に、第２光源１１２−２からの照明光を中空状のスポットとして集光させ、第１光源１１１−２からの照明光を通常のガウスビームスポットとして集光させる。
【００９７】
すなわち、本実施の形態に係る超解像顕微鏡は、第１光源部１００−１及び第２光源部１００−２のそれぞれの第１光源１１１−１、１１１−２をポンプ光とし、第２光源１１２−１、１１２−２をイレース光とすることで、２種類のイレース光を用いたノーマル超解像顕微鏡法が実現できる。また、第１光源１１１−１、１１１−２は、スーパーコンティニュアム光源からなるので、いずれか一方をプレイレース光源とすれば、３波長超解像顕微鏡法を実現することができる。この際、制御部によりＡＯＭ１３５−１、１３５−２、１３６−１、１３６−２のオンオフ制御、使用する光源の強度調整を行えばシーケンス的な対応も可能である。同時に、波長選択素子１２５−１、１２５−２を調整することにより、ポンプ光及びプレイレース光の波長の最適化が達成できる。
【００９８】
なお、本発明は上記実施の形態に限定されるものではなく、幾多の変形又は変更が可能である。例えば、走査部は、照明光を二次元方向に偏向する構成に限らず、照明光の光路を固定して試料ステージを照明光の光路と直交する二次元方向に移動させたり、照明光の光路を一次元方向に偏向し、試料ステージを照明光の走査方向と直交する方向に移動させたりして、試料を走査してもよい。
【００９９】
また、第２実施の形態において、変調光学素子３２０−１は、中央部領域の光学膜を例えば特許文献３に開示されているような多層膜で構成してもよい。図７（ａ）、（ｂ）は、この場合の変調光学素子３２０−１の概略構成を示すもので、（ａ）は断面図であり、（ｂ）は平面図である。図７（ａ）、（ｂ）において、中央部領域３２２の多層膜３２５は、ポンプ光に対して反射作用を有する光学反射膜として機能するもので、ポンプ光に対して屈折率が異なる第１物質３２６と第２物質３２７とを、光学基板３２１上にバッファ層３２８を介して交互に蒸着により積層して構成される。これにより、中央部領域３２２はポンプ光を反射させ、イレース光は位相をπ反転させて透過させる。また、周辺部領域３２４は、ポンプ光およびイレース光を、位相分布を変調することなく透過させる。なお、多層膜３２５は、層数・膜厚・材質を最適化することで、イレース光は位相をπ反転させて透過させ、ポンプ光は波長の整数倍だけ位相遅れを発生させて透過させるように構成することもできる。これにより、３波長超解像顕微鏡法による観察の場合に、プレイレース光又はイレース光を中空状のスポットとして集光させることができる。
【０１００】
図７（ａ）、（ｂ）に示した多層膜構造は、第１実施の形態に示した変調光学素子３２０にも適用することができる。この場合は、プレイレース光及びイレース光が中空状のスポットとして集光され、ポンプ光が通常のガウスビームスポットとして集光されるように、多層膜を３波長に対応するように構成すればよい。また、第１実施の形態において、変調光学素子３２０は、例えば図２２に示した構成を３波長に対応させて、プレイレース光及びイレース光の位相差を光軸周りに２πで周回させるように、ガラス基板を複数の領域で異なる厚みにエッチングしたり、ガラス基板上に異なる厚みで光学多層膜を形成したりして構成してもよい。
【０１０１】
また、変調光学素子は、位相分布を変調する構成に限らず、例えば光学異方性を有する複数の水晶基板等を接合して偏光分布を変調するように構成してもよい。図８は、この場合の変調光学素子の構成例を示す平面図である。図８に示す変調光学素子３２０−３は、同心円状に接合された円柱基板３２１ａ及び輪帯基板３２１ｂを有する。円柱基板３２１ａ及び輪帯基板３２１ｂは、図９（ａ）及び（ｂ）に平面図及び側面図を示すように、直交する進相軸（実線矢印で示す）及び遅相軸（破線矢印で示す）を有する水晶からなる光学基板３２１からそれぞれ切り出される。その後、図１０に示すように、切り出した円柱基板３２１ａの進相軸と輪帯基板３２１ｂの進相軸とが直交するように、輪帯基板３２１ｂに円柱基板３２１ａが挿入されて紫外線硬化樹脂等により接着される。なお、図９に示す光学基板３２１は、基板射出時に進相軸及び遅相軸が直交するようにカット面が調整される。また、光学基板３２１の厚みｄは、プレイレース光及び／又はイレース光の波長で電場の位相差が１８０°、すなわち１／２波長板として機能し、ポンプ光に対しては１波長板として機能するように調整される。
【０１０２】
図８に示した変調光学素子３２０−３において、例えば図１１に示すように、輪帯基板３２１ｂの進相軸に平行な直線偏光が入射すると、内側の円柱基板３２１ａに対しては遅相軸に平行な直線偏光が入射することになる。そのため、図１２に示すように、変調光学素子３２０−３を直線偏光したプレイレース光Ｌ１及び／又はイレース光Ｌ３が通過すると、変調光学素子３２０−３が１／２波長板として機能するため、外側の輪体基板３２１ａの透過光と内側の円柱基板３２１ａの透過光との電場ベクトルが反対に向かい合うようになる。つまり、プレイレース光Ｌ１及び／又はイレース光Ｌ３は、電場の振動軸が同じ方向の直線偏光で、かつ、電場の向きが反対となるように変調される。これに対し、ポンプ光Ｌ２は、変調光学素子３２０−３を通過しても、変調光学素子３２０−３が１波長板として機能するので、偏光状態は殆ど変化しない。
【０１０３】
したがって、プレイレース光Ｌ１及び／又はイレース光Ｌ３とポンプ光Ｌ２とが変調光学素子３２０−３を通過すると、プレイレース光Ｌ１及び／又はイレース光Ｌ３は、照明光学系により中空状のスポットとして集光され、ポンプ光Ｌ２は通常のガウスビームスポットとして、プレイレース光Ｌ１及び／又はイレース光Ｌ３と軸ずれすることなく集光される。
【０１０４】
また、上記実施の形態において、第１照明光（プレイレース光）の波長λ１は、図１３に示すように、第２照明光（ポンプ光）の波長λ２より短く、第３照明光（イレース光）の波長λ３は、波長λ２より長く、かつ、蛍光帯域よりも長波長である。したがって、検出部５００は、例えば図１４に示すように、ＡＯＭ５４０とＰＭＴ５５０との間に、波長選択素子５６０及びバンドパスフィルタ５７０等を配置して、蛍光帯域の波長を透過するように構成してもよい。このように構成すれば、第１〜３照明光の迷光をカットして、蛍光信号のみを効率よく、かつ高いＳ／Ｎで検出することができる。
【０１０５】
また、第１照明光及び／又は第３照明光は、必ずしも焦点面で中空状に集光させる必要はなく、焦点面で第２照明光の照射領域と一部重なるように通常のガウスビームスポットとして集光させて、超解像の画像を得るようにしてもよい。
【符号の説明】
【０１０６】
１００  光源部
１００−１  第１光源部
１００−２  第２光源部
１０１  第１照明光用光源
１０２  第２照明光用光源
１０３  第３照明光用光源
１１１−１、１１１−２  第１光源
１１２−１、１１２−２  第２光源
１２１、１２２、１２５−１、１２５−２  波長選択素子
１３１、１３２、１３３、１３５−１、１３５−２、１３６−１、１３６−２  光音響素子（ＡＯＭ）
１４０、１４１−１、１４１−２  同軸光学系
２００、２０１、２０２  伝送ファイバ
２１０、２２０  結合レンズ
３００、３０１  照明光学系
３１０、３１０−１、３１０−２  コリメータレンズ
３２０、３２０−１、３２０−２、３２０−３  変調光学素子
３２１  光学基板
３２１ａ  円柱基板
３２１ｂ  輪帯基板
３２２  中央部領域
３２３  光学膜
３２４  周辺部領域
３２５  多層膜
３３０  分離フィルタ
３４０  瞳投影レンズ
３５０  対物レンズ
３６０  合成素子
４００  走査部
４１０、４２０  ガルバノミラー
５００  検出部
５１０  集光レンズ
５２０  結合レンズ
５３０  マルチモードファイバ
５４０  光音響素子（ＡＯＭ）
５５０  光電子増倍管（ＰＭＴ）
５６０  波長選択素子
５７０  バンドパスフィルタ
６００  制御部
７００  試料ステージ
【図１】
2015155970.tif 000003
【図２】
2015155970.tif 000004
【図３】
2015155970.tif 000005
【図４】
2015155970.tif 000006
【図５】
2015155970.tif 000007
【図６】
2015155970.tif 000008
【図７】
2015155970.tif 000009
【図８】
2015155970.tif 000010
【図９】
2015155970.tif 000011
【図１０】
2015155970.tif 000012
【図１１】
2015155970.tif 000013
【図１２】
2015155970.tif 000014
【図１３】
2015155970.tif 000015
【図１４】
2015155970.tif 000016
【図１５】
2015155970.tif 000017
【図１６】
2015155970.tif 000018
【図１７】
2015155970.tif 000019
【図１８】
2015155970.tif 000020
【図１９】
2015155970.tif 000021
【図２０】
2015155970.tif 000022
【図２１】
2015155970.tif 000023
【図２２】
2015155970.tif 000024
【図２３】
2015155970.tif 000025
【図２４】
2015155970.tif 000026
【図２５】
2015155970.tif 000027
【図２６】
2015155970.tif 000028
【図２７】
2015155970.tif 000029